(57)【要約】      （修正有）【課題】金属調の光沢感を有するとともに、樹脂成分、滑剤、オイル、水分等の成分がラベル内部に浸透することによる不具合が生じ難くい非接触ＩＣタグ付き粘着ラベルを提供する。【解決手段】第１の接着剤層１と、前記第１の接着剤層１上に積層された表面基材フィルム２と、前記第１の接着剤層１上であって、かつ前記表面基材フィルム２の下に積層された非接触ＩＣタグ３とを備えた非接触ＩＣタグ付き粘着ラベル１１であって、前記第１の接着剤層１上であって、かつ前記表面基材フィルム２の下に積層された絶縁性金属光沢層４と、前記第１の接着剤層１上であって、かつ前記表面基材フィルム２の下に積層され、低分子量成分の移行を防止するバリア層５とを備えることを特徴とする。【選択図】図１
2020079863.tif 000002
【特許請求の範囲】
【請求項１】
第１の接着剤層と、前記第１の接着剤層上に積層された表面基材フィルムと、前記第１の接着剤層上であって、かつ前記表面基材フィルムの下に積層された非接触ＩＣタグとを備えた非接触ＩＣタグ付き粘着ラベルであって、
前記第１の接着剤層上であって、かつ前記表面基材フィルムの下に積層された絶縁性金属光沢層と、
前記第１の接着剤層上であって、かつ前記表面基材フィルムの下に積層され、低分子量成分の移行を防止するバリア層とを備えることを特徴とする非接触ＩＣタグ付き粘着ラベル。
【請求項２】
請求項１に記載の非接触ＩＣタグ付き粘着ラベルにおいて、
前記絶縁性金属光沢層が、錫、インジウム及び亜鉛からなる群から選ばれる少なくとも一種の金属を含むことを特徴とする非接触ＩＣタグ付き粘着ラベル。
【請求項３】
請求項１又は請求項２に記載の非接触ＩＣタグ付き粘着ラベルにおいて、
前記絶縁性金属光沢層の表面抵抗率が、１０11〜１０２０Ω／□であることを特徴とする非接触ＩＣタグ付き粘着ラベル。
【請求項４】
請求項１乃至請求項３のいずれかに記載の非接触ＩＣタグ付き粘着ラベルにおいて、
前記絶縁性金属光沢層が、海島構造を有することを特徴とする非接触ＩＣタグ付き粘着ラベル。
【請求項５】
請求項４に記載の非接触ＩＣタグ付き粘着ラベルにおいて、
前記絶縁性金属光沢層の海・島構造の島の平均サイズは５０ｎｍ〜１μｍであることを特徴とする非接触ＩＣタグ付き粘着ラベル。
【請求項６】
請求項１乃至請求項５のいずれかにに記載の非接触ＩＣタグ付き粘着ラベルにおいて、
前記絶縁性金属光沢層の厚みは１ｎｍ〜１μｍであることを特徴とする。
【請求項７】
請求項１乃至請求項６のいずれかに記載の非接触ＩＣタグ付き粘着ラベルにおいて、
前記第１の接着剤層の表面抵抗率が、１０１２Ω／□以上であることを特徴とする非接触ＩＣタグ付き粘着ラベル。
【請求項８】
請求項１乃至請求項７のいずれかに記載の非接触ＩＣタグ付き粘着ラベルにおいて、
前記非接触ＩＣタグの上面及び／又は下面に第２の接着剤層を備えることを特徴とする非接触ＩＣタグ付き粘着ラベル。
【請求項９】
請求項１乃至請求項８のいずれかに記載の非接触ＩＣタグ付き粘着ラベルにおいて、
前記バリア層が、前記非接触ＩＣタグの下に積層されたことを特徴とする非接触ＩＣタグ付き粘着ラベル。
【請求項１０】
請求項１乃至請求項９のいずれかに記載の非接触ＩＣタグ付き粘着ラベルにおいて、
前記バリア層が、前記絶縁性金属光沢層の下に積層されたことを特徴とする非接触ＩＣタグ付き粘着ラベル。
【請求項１１】
請求項１乃至請求項１０のいずれかに記載の非接触ＩＣタグ付き粘着ラベルにおいて、
前記表面基材フィルム上に積層された易接着層を更に備えることを特徴とする非接触ＩＣタグ付き粘着ラベル。
【発明の詳細な説明】
【技術分野】
【０００１】
本発明は、非接触ＩＣタグ付き粘着ラベルに関するものである。
【背景技術】
【０００２】
従来から、運送や流通、販売管理、工場工程管理、在庫管理、商品の配送や荷物の取り扱いなど、様々な分野では、ＲＦＩＤタグなどの非接触ＩＣタグを有する粘着ラベルが用いられている。
【０００３】
ＲＦＩＤタグを有する粘着ラベルは、高級感を出すために、金属調の美麗な光沢を有することが求められる場合がある。しかしながら、アルミ箔のような金属材料を使用したり、通常の金属蒸着した材料を使用すると、ＲＦＩＤタグの読出し信号との干渉を起こしてし、通信阻害が生じることが知られている。このような問題を解決するため、例えば、特許文献１には、海・島構造の絶縁性金属蒸着層を形成することにより、通信特性を低下させずに、金属調の光沢感を持たせた非接触ＩＣタグが開示されている。
より具体的には、錫（Ｓｎ）、亜鉛（Ｚｎ）、鉛（Ｐｂ）、ビスマス（Ｂｉ）、インジウム（In）の単体金属またはその群から選ばれた二種以上の金属からなる合金、または錫−アルミニウム（Ｓｎ−Ａｌ）、または錫−珪素（Ｓｎ−Ｓｉ）からなる合金等の絶縁性金属を微小の孤立した島となるように蒸着することで、通信特性を低下させずに、金属調の光沢感を持たせた非接触ＩＣタグが開示されている。
【０００４】
ところで、ＲＦＩＤタグを有する粘着ラベルは、様々な用途に使用されるが、貼付される被着体や使用環境によっては、被着体またはラベルの表面から、樹脂成分（オリゴマー、モノマー等）、滑剤、オイル、水分等の移行することで、ラベルの性能劣化を引き起こす可能性がある。特に、海・島構造の絶縁性金属蒸着層を形成した非接触ＩＣタグの場合、絶縁性金属が微小の孤立した島となるように蒸着されているため、通常の金属蒸着層を有するものに比べて、樹脂成分（オリゴマー、モノマー等）、滑剤、オイル、水分等の低分子成分がラベル内部に浸透しやすく、通信特性が低下したり、ＲＦＩＤラベルの各層間の強度が低下したり、ラベルが被着体から脱落したり、ラベルが変色したりする等の不具合が生じる場合があった。
【先行技術文献】
【特許文献】
【０００５】
【特許文献１】特開２００７−１７２００７号公報
【発明の概要】
【発明が解決しようとする課題】
【０００６】
本発明は、上記のような実状に鑑みてなされたものであり、金属調の光沢感を有するとともに、上記のような樹脂成分（オリゴマー、モノマー等）、滑剤、オイル、水分等の成分がラベル内部に浸透することによる不具合が生じ難くい非接触ＩＣタグ付き粘着ラベルを提供することを目的とする。
【課題を解決するための手段】
【０００７】
上記課題を解決するために、本発明は、第１の接着剤層と、前記第１の接着剤層上に積層された表面基材フィルムと、前記第１の接着剤層上であって、かつ前記表面基材フィルムの下に積層された非接触ＩＣタグとを備えた非接触ＩＣタグ付き粘着ラベルであって、
前記第１の接着剤層上であって、かつ前記表面基材フィルムの下に積層された絶縁性金属光沢層と、
前記第１の接着剤層上であって、かつ前記表面基材フィルムの下に積層され、低分子量成分の移行を防止するバリア層（以下、バリア層ということがある。）とを備えることを特徴とする。
【発明の効果】
【０００８】
本発明にかかる非接触ＩＣタグ付き粘着ラベルは、絶縁性金属光沢層を備えるので、非接触ＩＣタグの通信特性の低下させることなく、金属の光沢を備える意匠性の高い粘着ラベルを提供することができる。また、バリア層を備えるので、粘着ラベルが貼付される被着体側又は粘着ラベルの表面側から粘着ラベル内部へのガスや低分子量成分の浸透を防止して、通信特性の経時劣化や、絶縁性金属光沢層や表面基材フィルムの変色や、粘着ラベルの各層間の強度低下を防止することができる。
【図面の簡単な説明】
【０００９】
【図１】本発明の第一の実施形態にかかる非接触ＩＣタグ付き粘着ラベルの構成を模式的に示す断面図である。
【図２】本発明の第二の実施形態にかかる非接触ＩＣタグ付き粘着ラベルの構成を模式的に示す断面図である。
【図３】本発明の第三の実施形態にかかる非接触ＩＣタグ付き粘着ラベルの構成を模式的に示す断面図である。
【図４】本発明の第四の実施形態にかかる非接触ＩＣタグ付き粘着ラベルの構成を模式的に示す断面図である。
【図５】本発明の第五の実施形態にかかる非接触ＩＣタグ付き粘着ラベルの構成を模式的に示す断面図である。
【発明を実施するための形態】
【００１０】
以下、本発明の第一の実施形態にかかる非接触ＩＣタグ付き粘着ラベルについて、図面を参照して説明する。図１に示されるように、非接触ＩＣタグ付き粘着ラベル１１は、第１の接着剤層１と、第１の接着剤層１上に積層された表面基材フィルム２と、第１の接着剤層１上であって、かつ表面基材フィルム２の下に積層された非接触ＩＣタグ３とを備えている。
【００１１】
また、非接触ＩＣタグ付き粘着ラベル１１は、第１の接着剤層１上であって、かつ表面基材フィルム２の下に積層された絶縁性金属光沢層４と、第１の接着剤層１上であって、かつ表面基材フィルム２の下に積層され、低分子量成分の移行を防止するバリア層５とを備えている。
【００１２】
本実施形態にかかる非接触ＩＣタグ付き粘着ラベル１１において、絶縁性金属光沢層４は、表面基材フィルム２の下に積層され、かつ、非接触ＩＣタグ３上に、第２の接着剤層６を介して積層されている。バリア層５は、非接触ＩＣタグ３の下に積層されている。
【００１３】
非接触ＩＣタグ３は、後述するように、ベースフィルム面に導体アンテナパターンが形成され、アンテナパターンの端部にＩ Ｃ チップが装着されている。本発明において、非接触ＩＣタグ３は、ベースフィルムのアンテナパターン側の面が表面基材フィルム２と対向するように積層されていてもよく、アンテナパターンとは反対側の面が表面基材フィルム２と対向するように積層されていてもよい。
【００１４】
また、本実施形態にかかる非接触ＩＣタグ付き粘着ラベル１１において、バリア層５は、絶縁性金属光沢層４の下に積層されている。バリア層５が被着体と絶縁性金属光沢層４の間に介在するので、被着体に起因するガス又は液状の低分子量成分の、絶縁性金属光沢層４への移行を防止し、絶縁性金属光沢層４や表面基材フィルム２の変色を防ぐことができる。
【００１５】
また、非接触ＩＣタグ付き粘着ラベル１１は、非接触ＩＣタグ３の上面に第２の接着剤層６を備えている。第２の接着剤層６により、非接触ＩＣタグ３と絶縁性金属光沢層４の間の接着強度を確保できる。
【００１６】
また、本実施形態にかかる非接触ＩＣタグ付き粘着ラベル１１は、必要に応じて、表面基材フィルム２の上面に積層された易接着層９を更に備えていてもよい。
【００１７】
また、非接触ＩＣタグ付き粘着ラベル１１は、第１の接着剤層１の下に剥離シート９０を備えている。非接触ＩＣタグ付き粘着ラベル１１は、剥離シート９０を剥がした後、第１の接着剤層１を介して、被着体（例えば、タイヤ、衣料品、化粧品、食品、医薬品、家電製品等の物品等）に貼付されて使用される。本発明にかかる非接触ＩＣタグ付き粘着ラベル１１は、樹脂成分（オリゴマー、モノマー等）、滑剤、オイル等の低分子量成分を含む被着体に好適に使用することができる。このような被着体に使用することで、絶縁性金属光沢層４や表面基材フィルム２の変色を防ぐ著しい効果が得られる。また、本発明にかかる非接触ＩＣタグ付き粘着ラベル１１は、粘着ラベルの表面側からのガスや低分子量成分の浸透が問題となる医薬品等の被着体に対しても好適に使用できる。このような被着体に使用することで、絶縁性金属光沢層４や表面基材フィルム２の変色を防ぐ効果に加えて、非接触ＩＣタグ付き粘着ラベル１１の表面側から、被着体にガスや低分子量成分が浸透することを防止する効果も得られる。
【００１８】
非接触ＩＣタグ付き粘着ラベル１１の厚さは特に制限されないが、例えば２０〜１０００μｍであってもよく、例えば５０〜２５０μｍであってもよい。本明細書において、「厚さ」は、無作為に抽出された５箇所で厚さを測定した平均で表される値として取得できる。
【００１９】
＜非接触ＩＣタグ＞
非接触ＩＣタグ３とは、ＩＣチップに物品の情報が記憶されたものであってよい。非接触ＩＣタグ３に記憶された情報は、電波や電磁波等による非接触の方式で、読取装置により読み取ることができてよい。非接触ＩＣタグ３には、電波や電磁波等による非接触の方式で、書込装置により情報を書き込むことができてよい。非接触ＩＣタグ３は、上記の読み取りおよび書き込みの両方が可能であってよい。当該情報としては、商品の値段、サイズ、割引率、成分、材質、産地、銘柄、生産元、期限など、その商品の特徴を表す情報を例示できる。実施形態に係るＩＣタグは、電子マネーカードに内蔵される貨幣情報が記憶されたＩＣや、身分証に内蔵された保有者の個人情報が記憶されたＩＣや、乗車カードに内蔵される乗車情報が記憶されたＩＣとは区別される。
【００２０】
非接触ＩＣタグ３は、ベースフィルム面に導体アンテナパターンを形成され、アンテナパターンの端部にＩ Ｃ チップが装着されている。アンテナパターンの形状は特に限定されず、例えば、電磁誘導型のコイル状アンテナ、パッチアンテナ、ダイポール型アンテナであってもよい。Ｉ Ｃ チップは、通常、非接触通信機能部と制御部および情報記憶のためのメモリを備えるものである。これらおよび回路の浮遊容量等の容量素子により、所定の共振周波数を生じる非接触Ｉ Ｃ タグ回路が形成されている。
【００２１】
＜表面基材フィルム＞
非接触ＩＣタグ付き粘着ラベル１１が有する表面基材フィルム２の材質は特に限定されるものではないが、例えば、ポリエチレンテレフタレート等のポリエステルフィルム、ポリエチレン、ポリプロピレン等のポリオレフィンフィルム、ポリ塩化ビニルフィルム、ポリカーボネートフィルム、（メタ）アクリル樹脂フィルム、ポリスチレンフィルム、酢酸セルロースフィルム等の樹脂フィルムが挙げられる。なお、本明細書において（メタ）アクリル樹脂とは、アクリル樹脂及びメタクリル樹脂を意味し、以下同様である。
【００２２】
非接触ＩＣタグ付き粘着ラベル１１では、表面基材フィルム２は透明であることが好ましい。ここでいう透明とは、表面基材フィルム２を介して絶縁性金属光沢層４を視認できる程度であればよい。
【００２３】
表面基材フィルム２の厚さは特に制限されないが、表面基材フィルム２を介して絶縁性金属光沢層４を視認できる程度の厚みであることが好ましく、例えば１５〜３００μｍであってもよく、例えば２５〜２００μｍであってもよい。
【００２４】
＜絶縁性金属光沢層＞
絶縁性金属光沢層４は、金属光沢を有し、非接触ＩＣタグ付き粘着ラベル１１に金属光沢を付与する層である。また、絶縁性金属光沢層４は、絶縁性を有する。当該層が絶縁性を有することで、非接触ＩＣタグ３の情報の読み取り又は書き込みに使用される電波が妨害されず、非接触ＩＣタグ３の情報の読み取り又は書き込みが良好となる。ここでいう絶縁性とは、非接触ＩＣタグ３を利用した情報の読み取り又は書き込みが可能である程度であればよいが、絶縁性金属光沢層４の表面抵抗率が、１０１１〜１０２０Ω／□であることが好ましい。絶縁性金属光沢層４の表面抵抗率は、ＪＩＳ  Ｋ  ７１９４に準拠して測定することができる。
【００２５】
金属光沢は、絶縁性金属光沢層４が金属光沢を有する金属材料を含むことで付与される。また、金属層がいわゆる海・島構造を有することで、金属層であっても絶縁性となることが知られている。海・島構造では、金属材料が不連続に（島状に）点在していることで、絶縁性が保たれている。島の平均サイズ（投影面積円相当径）は、５０ｎｍ〜１μｍであることが好ましい。
【００２６】
このような海・島構造は、錫、インジウム、亜鉛等のような表面張力の高い金属を含む金属材料を蒸着させることにより形成可能であることが知られている。本発明にかかる絶縁性金属光沢層４は、錫、インジウム及び亜鉛からなる群から選ばれる少なくとも一種の金属を含んでいることが好ましい。また、絶縁性金属光沢層４は、錫、インジウム及び亜鉛からなる群から選ばれる少なくとも一種の金属を含む蒸着層であることが好ましい。
【００２７】
上記に挙げた金属種のなかでは、金属光沢感、値段及び絶縁性の面から、錫が特に好ましい。絶縁性金属光沢層４が錫を含む蒸着層である場合には、絶縁性金属光沢層４における錫の含有量は、５０〜１００原子％であってもよく、８０〜１００原子％であってもよく、９０〜１００原子％であってもよい。
【００２８】
絶縁性金属光沢層４が、錫、インジウム、及び亜鉛からなる群から選ばれる少なくとも一種の金属を含む場合、絶縁性金属光沢層４は、非接触ＩＣタグ３を利用した情報の読み取り又は書き込みを可能とする程度において、錫、インジウム及び亜鉛以外の金属を含んでいてもよい。例えば、絶縁性金属光沢層４はアルミニウムを含んでいてもよく、この場合の前記金属材料としては、錫―アルミニウム合金が挙げられる。
【００２９】
絶縁性金属光沢層４の厚さは特に制限されないが、例えば、１〜１０００ｎｍであってよく、５〜５００ｎｍであってもよく、１０〜３００ｎｍであってもよい。
【００３０】
＜バリア層＞
バリア層５は、ガス又は液状の低分子量成分の移行を防止する層である。本明細書において低分子量成分とは、分子量２０００以下の成分をいう。例えば、非接触ＩＣタグ付き粘着ラベル１１をタイヤラベルとして使用した場合、タイヤに含まれる可塑剤や老化防止剤などが低分子量成分となりうる。バリア層５は透明であることが好ましい。ここでいう透明とは、バリア層５を介して隣接する層を視認できる程度であればよい。
【００３１】
バリア層５は、例えば、ポリエチレンテレフタレート等のポリエステルフィルム、ポリエチレン、ポリプロピレン等のポリオレフィンフィルム、ポリ塩化ビニルフィルム、ポリカーボネートフィルム、（メタ）アクリル樹脂フィルム、ポリスチレンフィルム、酢酸セルロースフィルム等の樹脂フィルム上に、酸化珪素、酸化アルミニウム、酸化マグネシウム、酸化亜鉛、酸化インジウム、酸化スズ等の無機酸化物、窒化珪素等の無機窒化物、酸窒化珪素、酸窒化アルミニウム等の無機酸窒化物等の絶縁性の蒸着膜を形成することにより得られる。蒸着膜としては、汎用性、透明性、バリア性の観点から、酸化珪素の蒸着膜が好ましい。樹脂フィルムの厚さは特に制限されないが、例えば、１〜５０μｍであってもよく、５〜２０μｍであってもよい。蒸着膜の厚さは特に制限されないが、例えば、１〜１０００ｎｍであってよく、５〜５００ｎｍであってもよく、１０〜３００ｎｍであってもよい。また、バリア層５は、ゴム系樹脂、ポリエステル系樹脂、ポリオレフィン系樹脂、シクロオレフィン系樹脂、エポキシ系樹脂、エチレン−ビニルアルコール系共重合体、ポリビニルアルコール、ポリ塩化ビニル、ポリ塩化ビニリデン、ポリクロロトリフロロエチレン、フッ化ポリエチレン、ポリテトラフルオロエチレン、ポリフッ化ビニリデン等の樹脂等のバリア性を有する樹脂から構成される層であってもよい。バリア性を有する樹脂は、汎用性、透明性、バリア性の観点から、エチレン−ビニルアルコール系共重合体から構成される層が好ましく、市販の樹脂材料（例えば、エチレン−ビニルアルコール系共重合体、株式会社クラレ製の製品名「エバール」、日本合成化学社製の製品名「ソアノール」）を用いてもよい。バリア層５がバリア性を有する樹脂から構成される層である場合、バリア層５の厚さは特に制限されないが、例えば、１〜５０μｍであってもよく、５〜２０μｍであってもよい。バリア層５の厚さが上記範囲であれば、非接触ＩＣタグ付き粘着ラベル１１の総厚みが厚くなりすぎず、ラベルの取り扱い性が良好となる。
【００３２】
非接触ＩＣタグ付き粘着ラベル１１は、バリア層５を有することにより、ガス又は液状の低分子量成分の移行を防止することができ、絶縁性金属光沢層４及び表面基材フィルム２の変色を防止することができる。さらに、バリア層５は、絶縁性の材料から形成されるため、非接触ＩＣタグ３の情報の読み取り又は書き込みに使用される電波が妨害されず、非接触ＩＣタグ３の情報の読み取り又は書き込みが良好となる。
【００３３】
＜接着剤層＞
第１の接着剤層１は、非接触ＩＣタグ付き粘着ラベル１１を被着体に貼付させる機能を有している。また、第２の接着剤層６は、非接触ＩＣタグ３と他の層を接着する。
【００３４】
第１の接着剤層１及び第２の接着剤層６を構成する接着剤としては、特に制限はなく、接着剤または粘着剤（感圧性接着剤）のいずれも用いられうる。本発明において、接着剤は粘着剤（感圧性接着剤）を含むものとする。例えばアクリル系接着剤、ゴム系接着剤、シリコーン系接着剤、及びポリウレタン系接着剤などを、溶剤型、エマルション型、ホットメルト型、感熱型、感圧型、常温硬化型、光硬化型等の接着剤として用いることができる。
【００３５】
前記アクリル系接着剤としては、主成分として、例えばアクリル酸エステル単独重合体、アクリル酸エステル単位２種以上を含む共重合体及びアクリル酸エステルと他の官能性単量体との共重合体の中から選ばれた少なくとも１種を含有するものが用いられる。該アクリル酸エステルとしては、例えば（メタ）アクリル酸ブチル、(メタ）アクリル酸２−エチルヘキシル、（メタ）アクリル酸ドデシルなどが挙げられる。また、官能性単量体としては、例えば（メタ）アクリル酸ヒドロキシエチル、（メタ）アクリル酸ヒドロキシプロピルなどのヒドロキシル基含有単量体、（メタ）アクリルアミド、ジメチル（メタ）アクリルアミドなどのアミド基含有単量体、（メタ）アクリル酸などのカルボン酸基含有単量体などが挙げられる。ゴム系接着剤としては、スチレン−イソプレン−スチレン、スチレン−ブタジエン−スチレン等のブロック共重合体からなる、ホットメルト型が挙げられる。
【００３６】
ここで、第１の接着剤層１の表面抵抗率は、１０１２Ω／□以上であることが好ましい。このような表面抵抗率を有する第１の接着剤層１を採用することにより、非接触ＩＣタグ３の通信特性の低下を防止できる。第１の接着剤層１の表面抵抗率は、ＪＩＳ  Ｋ  ７１９４に準拠して測定することができる。
【００３７】
第１の接着剤層１及び第２の接着剤層６には、必要に応じて、架橋剤、粘着付与剤、酸化防止剤、紫外線吸収剤、光安定剤、軟化剤、シランカップリング剤、充填剤等のその他の成分が配合されていてもよい。これらは１種を単独で用いてもよく、２種以上を混合して用いてもよい。
【００３８】
第１の接着剤層１の厚さは、例えば５〜１００μｍであってもよく、例えば１０〜５０μｍであってもよい。
【００３９】
第１の接着剤層１及び第２の接着剤層６は、その構成材料を含有する接着剤組成物を用いて形成できる。例えば、接着剤層の形成対象面に、接着剤層を構成するための各成分及び溶媒を含む接着剤組成物を塗工し、必要に応じて乾燥させて溶媒を揮発させることで、目的とする部位に接着剤層を形成できる。接着剤層の形成対象面としては、剥離ライナーの表面が挙げられる。
【００４０】
＜易接着層＞
易接着層９は、非接触ＩＣタグ付き粘着ラベル１１に文字、記号、図形などの印刷を設けるための層である。易接着層９は表面基材フィルム２の第１の接着剤層１が積層された側とは反対側の、表面基材フィルム２の表面に積層されている。
【００４１】
易接着層９は、印刷層の非接触ＩＣタグ付き粘着ラベル１１に対する密着性を向上させる目的で、非接触ＩＣタグ付き粘着ラベル１１に設けられている。易接着層９としては、アクリル系樹脂、スチレン系樹脂、ポリエステル系樹脂、ウレタン系樹脂、ポリエステルウレタン系樹脂、アクリルウレタン系樹脂などを用いることができる。易接着層９を形成する手段としては、バーコート法、グラビアコート法、ナイフコート法、ダイコート法などを用いることができる。
【００４２】
印刷は、易接着層９の表面にインキを積層させる又は含浸させることで形成できる。印刷部分は、層状であってよく、印刷層を形成していてもよい。印刷層については、予め形成した易接着層９の表面に形成することが好ましい。ここで、「印刷」とは、粘着ラベルの模様のように、一定の模様を大量に作製するもの、及び、シリアル番号のように可変情報を作製するもの、の両方を意味する。これらの印刷層の具体的な形態について特に制限はなく、従来公知の知見が適宜参照されうる。例えば、シート状基材の表面に一定の模様を形成する手段としては、白、黒、黄、赤、青、金、銀、パール等の色のインキを用いたフレキソ印刷、オフセット印刷、凸版印刷、シルクスクリーン印刷などが挙げられる。また、可変情報を形成する手段としては、熱転写方式、電子写真（静電）方式、インクジェット方式などが挙げられる。
【００４３】
非接触ＩＣタグ付き粘着ラベル１１は、非接触ＩＣタグ３と組み合わせて物品の情報を提示できる。そのため、非接触ＩＣタグ付き粘着ラベル１１には、非接触ＩＣタグ３に記憶された情報が対応する商品（非接触ＩＣタグが取り付けられた商品）に関する情報が印刷されて記載されていることが好ましい。商品に関する情報とは、例えば、値段、サイズ、割引率、成分、材質、産地、銘柄、生産元、期限など、その商品の特徴を表す情報が挙げられる。
【００４４】
非接触ＩＣタグ３に記憶された情報の内容と、非接触ＩＣタグ付き粘着ラベル１１に記載された情報の内容は、同じ意味を表す内容を含んでいてもよく、含んでいなくともよい。
【００４５】
易接着層９の厚さは、例えば０．００１〜５０μｍであってもよく、例えば０．０１〜１０μｍであってもよい。
【００４６】
易接着層９は、その構成材料を含有する組成物を用いて形成できる。例えば、易接着層９の形成対象面に、易接着層９を構成するための各成分及び溶媒を含む組成物を塗工し、必要に応じて乾燥させて溶媒を揮発させることで、目的とする部位に易接着層９を形成できる。易接着層９の形成対象面としては、表面基材フィルム２の表面が挙げられる。
【００４７】
非接触ＩＣタグ付き粘着ラベル１１は、上述の各層を対応する位置関係となるように順次積層することで製造できる。各層の形成方法は、先に説明したとおりである。
【００４８】
第１の接着剤層１の下面から非接触ＩＣタグ３までの距離は、１μｍ以上が好ましく、１０μｍ以上がより好ましく、４０μｍ以上がさらに好ましい。粘着ラベル１１が貼付される被着体が非接触ＩＣタグ３の通信特性に干渉する場合であっても、被着面から非接触ＩＣタグ３までの距離を長くすることにより、非接触ＩＣタグ３の通信特性の低下を防止できる。
【００４９】
次に、本発明の第二の実施形態にかかる非接触ＩＣタグ付き粘着ラベル２１について図２を参照して説明する。非接触ＩＣタグ付き粘着ラベル２１は、表面基材フィルム２、非接触ＩＣタグ３、絶縁性金属光沢層４及びバリア層５の相対的な位置関係が上から順に表面基材フィルム２、絶縁性金属光沢層４、バリア層５、非接触ＩＣタグ３である点で、第一の実施形態にかかる非接触ＩＣタグ付き粘着ラベル１１と相違する。また、非接触ＩＣタグ付き粘着ラベル２１は上述した第１の接着剤層１以外に、バリア層５と非接触ＩＣタグ３の間に第２の接着剤層６を備え、かつ、絶縁性金属光沢層４とバリア層５の間に第３の接着剤層８を備える点で、第一の実施形態にかかる非接触ＩＣタグ付き粘着ラベル１１と相違する。
【００５０】
なお、第３の接着剤層８を構成する接着剤としては、上述した第１の接着剤層１、第２の接着剤層６と同様の接着剤を使用することができる。
【００５１】
次に、本発明の第三の実施形態にかかる非接触ＩＣタグ付き粘着ラベル３１について図３を参照して説明する。非接触ＩＣタグ付き粘着ラベル３１は、表面基材フィルム２、非接触ＩＣタグ３、絶縁性金属光沢層４及びバリア層５の相対的な位置関係が上から順に表面基材フィルム２、バリア層５、非接触ＩＣタグ３、絶縁性金属光沢層４である点で、第一の実施形態にかかる非接触ＩＣタグ付き粘着ラベル１１と相違する。また、非接触ＩＣタグ付き粘着ラベル３１は非接触ＩＣタグ３の上面に配置された第２の接着剤層６以外に、非接触ＩＣタグ３の下面に第２の接着剤層７を備え、絶縁性金属光沢層４上に基材フィルム１０を備えている点で、第一の実施形態にかかる非接触ＩＣタグ付き粘着ラベル１１と相違する。
【００５２】
なお、基材フィルム１０としては、上述した表面基材フィルム２と同様の材料を使用することができる。
【００５３】
次に、本発明の第四の実施形態にかかる非接触ＩＣタグ付き粘着ラベル４１について図４を参照して説明する。非接触ＩＣタグ付き粘着ラベル４１は、表面基材フィルム２、非接触ＩＣタグ３、絶縁性金属光沢層４及びバリア層５の相対的な位置関係が、上から順に表面基材フィルム２、バリア層５、絶縁性金属光沢層４、非接触ＩＣタグ３である点で、第一の実施形態にかかる非接触ＩＣタグ付き粘着ラベル１１と相違する。
【００５４】
次に、本発明の第五の実施形態にかかる非接触ＩＣタグ付き粘着ラベル５１について図５を参照して説明する。非接触ＩＣタグ付き粘着ラベル５１は、表面基材フィルム２、非接触ＩＣタグ３、絶縁性金属光沢層４及びバリア層５の相対的な位置関係が上から順に表面基材フィルム２、非接触ＩＣタグ３、バリア層５、絶縁性金属光沢層４である点で、第一の実施形態にかかる非接触ＩＣタグ付き粘着ラベル１１と相違する。また、非接触ＩＣタグ付き粘着ラベル５１は非接触ＩＣタグ３の上面に配置された第２の接着剤層６以外に、非接触ＩＣタグ３の下面に第２の接着剤層７を備えている点で、第一の実施形態にかかる非接触ＩＣタグ付き粘着ラベル１１と相違する。
【００５５】
本発明にかかる非接触ＩＣタグ付き粘着ラベル１１，２１，３１，４１，５１は、絶縁性金属光沢層４を備えるので、非接触ＩＣタグ３の通信特性の低下させることなく、金属の光沢を備える意匠性の高い粘着ラベルを提供することができる。また、バリア層５を備えるので、粘着ラベルが貼付される被着体側又は粘着ラベルの表面側から粘着ラベル内部へのガスや低分子量成分の浸透を防止して、通信特性の経時劣化や、絶縁性金属光沢層４や表面基材フィルム２の変色や、粘着ラベルの各層間の強度低下を防止することができる。
【００５６】
各実施形態における各構成及びそれらの組み合わせ等は一例であり、本発明の趣旨を逸脱しない範囲で、構成の付加、省略、置換、およびその他の変更が可能である。また、本発明は各実施形態によって限定されることはなく、請求項（クレーム）の範囲によってのみ限定される。
【符号の説明】
【００５７】
１  第１の接着剤層
２  表面基材フィルム
３  非接触ＩＣタグ
４  絶縁性金属光沢層
５  バリア層
６  第２の接着剤層
７  第２の接着剤層
８  第３の接着剤層
９  易接着層
１０  基材フィルム
９０  剥離シート
１１，２１，３１，４１，５１  非接触ＩＣタグ付き粘着ラベル
【図１】
2020079863.tif 000003
【図２】
2020079863.tif 000004
【図３】
2020079863.tif 000005
【図４】
2020079863.tif 000006
【図５】
2020079863.tif 000007